(57)【要約】【課題】 現在使用中の無線ＬＡＮシステムで設定されたチャネルが他の無線ＬＡＮシステムで使用中のチャネルと干渉しているか否かを検出し、この検出結果に基づいて適切にチャネルを調整することができる無線ＬＡＮシステムおよびその使用方法を提供する。【解決手段】 本発明に係る無線ＬＡＮシステム５００は、周辺領域に位置する無線ネットワークで使用中のチャネルに関連したチャネル情報を収集して転送する少なくとも１つ以上のＩＳＣＭ装置５３０、５５０、５７０、および、受信したチャネル情報と現在設定されている設定チャネルとの比較結果に基づいて、設定チャネルを他の周波数帯域のチャネルに調整するモジュールを有するＩＳＣＣ−ＡＰ１（５１０）を備える。【選択図】   図１
2004274765.tif 000002
【特許請求の範囲】
【請求項１】
周辺領域に位置する無線ネットワークで使用中のチャネルに関連したチャネル情報を収集して転送する少なくとも１つのＩＳＣＭ装置と、
受信した前記チャネル情報と現在設定されている設定チャネルとの比較結果に基づいて、前記設定チャネルを他の周波数帯域のチャネルに調整するモジュールを有するアクセスポイントと、
を備えることを特徴とする無線ＬＡＮシステム。
【請求項２】
前記アクセスポイントは、前記無線ネットワークで使用中のチャネルと前記設定チャネルとが少なくとも４チャネル以上の間隔を有するように前記設定チャネルを調整することを特徴とする請求項１に記載の無線ＬＡＮシステム。
【請求項３】
前記ＩＳＣＭ装置は、前記チャネル情報を検索して前記アクセスポイントに送信するモジュールをさらに備える無線ＬＡＮのステーションであることを特徴とする請求項１に記載の無線ＬＡＮシステム。
【請求項４】
前記ＩＳＣＭ装置は、有線ネットワークを介して前記チャネル情報を前記アクセスポイントに転送することを特徴とする請求項１に記載の無線ＬＡＮシステム。
【請求項５】
周辺領域に位置する無線ネットワークで使用中のチャネルに関連したチャネル情報を収集して転送するステップと、
受信した前記チャネル情報と現在アクセスポイントに設定されている設定チャネルとの比較結果に基づいて、前記設定チャネルを他の周波数帯域のチャネルに調整するステップと、
を含むことを特徴とする無線ＬＡＮシステムの使用方法。
【請求項６】
前記調整するステップは、前記無線ネットワークで使用中のチャネルと前記設定チャネルとが少なくとも４チャネル以上の間隔を有するように調整することを特徴とする請求項５に記載の無線ＬＡＮシステムの使用方法。
【請求項７】
前記転送するステップは、前記チャネル情報を検索して前記アクセスポイントに送信するモジュールをさらに備える無線ＬＡＮのステーションで行われることを特徴とする請求項５に記載の無線ＬＡＮシステムの使用方法。
【請求項８】
前記転送するステップにおいて、前記チャネル情報は、有線ネットワークを介して転送されることを特徴とする請求項５に記載の無線ＬＡＮシステムの使用方法。
【発明の詳細な説明】
【技術分野】
【０００１】
本発明は、無線ＬＡＮシステム（Wireless LAN System）およびその使用方法に関し、より詳しくは、隣接する領域に位置する他の無線ＬＡＮシステムとの電波干渉および混線を防止することができる無線ＬＡＮシステムおよびその使用方法に関する。
【背景技術】
【０００２】
無線ＬＡＮシステムは、近距離無線通信のためのもので、インターネットの普及と共に、無線機器の低価格化、個人情報機器の増加および環境構成の容易さなどで、その使用が急増している。無線ＬＡＮシステムは、特別の規制を受けることなく使用できるＩＳＭ（Industrial Scientific and Medical）周波数帯域の通信ネットワークであって、このような点から、家庭や学校などにおいて無線ＬＡＮシステムが多く普及・使用されつつある。
【０００３】
無線ＬＡＮシステムの規格については、ＩＥＥＥ（Institute of Electrical and Electronics Engineers）８０２．１１スタンダードで詳しく定義されている。ＩＥＥＥ８０２．１１スタンダードには、現在、８０２．１１、８０２．１１ａ、８０２．１１ｂおよび８０２．１１ｇの４つの規格が定義されており、これらの４つの規格は、経路（path）共有のためにいずれもＣＳＭＡ／ＣＡ（Carrier Sense Multiple Access／Collision Avoidance）を使用する。
【０００４】
無線ＬＡＮシステムのビルディングブロックは、セル（Cell）であり、８０２．１１スタンダード用語としては、ＢＳＳ（Basic Service Set）と称する。セルは、通常、１つ以上の無線ステーションと、中央ベースステーションである１つのアクセスポイント（Access Point（以下「ＡＰ」と適宜略称する）；接続点）とから構成される。固定または移動可能なステーションと中央のＡＰとは、ＩＥＥＥ８０２．１１無線ＭＡＣ（Medium Access Control）プロトコルを用いて互いに通信する。
【０００５】
図８は、一般の無線ＬＡＮシステムの構成を示す図である。
図８に示すように、接続点であるＡＰ１（１０１）と、ステーション１Ａ（１０３）、ステーション１Ｂ（１０５）およびステーション１Ｃ（１０７）の３つのステーションが１つのセル１００を構成する。ステーション１Ａ（１０３）、ステーション１Ｂ（１０５）およびステーション１Ｃ（１０７）は、無線でネットワーク網を連結し、ＡＰ１（１０１）は、各ステーション１０３、１０５、１０７から無線データを受信し、有線ネットワーク網に接続させる。無線ＬＡＮシステムのセル１００は、一般に、ＡＰ１（１０１）のサービス空間により決定され、前記無線ＬＡＮシステムのサービス領域となる。
【０００６】
しかしながら、このような無線ＬＡＮシステムの爆発的な使用増加で、隣接する領域に位置する他の無線ＬＡＮシステムとの電波干渉でネットワーク効率が低下するという問題が発生している。さらに、多くの場合、無線ＬＡＮシステムの使用および運用の主体が技術的な知識に欠ける一般のユーザであるため、このような問題点に対する適切な対応を取ることが難しい。
【０００７】
図９は、無線ＬＡＮシステム間の電波干渉を説明するための図である。
図９に示されたように、隣接する領域に位置する４つの互いに異なる無線ＬＡＮシステムがあるとする。第１の無線ＬＡＮシステムは、ＡＰ１（１０１）、ステーション１Ａ（１０３）、ステーション１Ｂ（１０５）およびステーション１Ｃ（１０７）で構成され、第２の無線ＬＡＮシステムは、ＡＰ２（２０１）、ステーション２Ａ（２０３）、ステーション２Ｂ（２０５）およびステーション２Ｃ（２０７）で構成され、第３の無線ＬＡＮシステムは、ＡＰ３（３０１）、ステーション３Ａ（３０３）、ステーション３Ｂ（３０５）およびステーション３Ｃ（３０７）で構成される。また、第４の無線ＬＡＮシステムは、ＡＰ４（４０１）、ステーション４Ａ（４０３）、ステーション４Ｂ（４０５）およびステーション４Ｃ（４０７）で構成される。
【０００８】
このような構成において、第１の無線ＬＡＮシステムのサービス領域１００（セル１００）は、第２の無線ＬＡＮシステムのサービス領域２００および第３の無線ＬＡＮシステムのサービス領域３００と一部の領域が重なり合うことがわかる。即ち、ステーション１Ｃ（１０７）およびステーション２Ａ（２０３）は、第１の無線ＬＡＮシステムのサービス領域１００と第２の無線ＬＡＮシステムのサービス領域２００とが重なり合う領域に位置し、ステーション１Ｂ（１０５）およびステーション３Ｂ（３０５）は、第１の無線ＬＡＮシステムのサービス領域１００と第３の無線ＬＡＮシステムのサービス領域３００とが重なり合う領域に位置する。このような場合、第１の無線ＬＡＮシステム、第２の無線ＬＡＮシステムおよび第３の無線ＬＡＮシステムにおいて設定および使用されるチャネルが一致している場合、電波干渉および混線が発生するおそれがあり、これによって、ネットワーク効率が低下してしまう。また、設定されたチャネルが一致しない場合でも、近接した周波数領域のチャネルであれば、ネットワーク効率が低下することがある。
【０００９】
次の表１には、ＩＳＭバンドで無線ＬＡＮのための各国の周波数割り当てが示されている。
【００１０】
【表１】
2004274765.tif 000003
【００１１】
ＦＣＣ（Federal Communications Commision）の勧告によれば、無線ＬＡＮシステム間の干渉を避けるためには、現在設定使用されているチャネルと他の無線ＬＡＮシステムの使用チャネルとは、中心周波数の間隔が２２ＭＨｚ以上、即ち、５チャネルの間隔が空いていることが望ましい。例えば、ある無線ＬＡＮシステムが、中心周波数２４１２ＭＨｚのチャネル１（表１参照）を使用している場合、他の無線ＬＡＮシステムは、干渉を回避するために、少なくとも２４３４ＭＨｚ以上のチャネルを使用することが求められる。表１から、チャネル１から２２ＭＨｚ以上離れたチャネルは、中心周波数２４３７ＭＨｚのチャネル６となる。これによって、物理的な電波の混線および干渉が発生することなく安定して独立した無線ＬＡＮシステムを構成することが可能となる。従って、現在使用されているチャネルが、隣接する他の無線ＬＡＮシステムで使用されているチャネルと一致していないとしても、一定以上の間隔を有するチャネルを使用する必要がある。
【００１２】
従って、現在、無線ＬＡＮシステムで使用中のチャネルと隣接する地域の他の無線ＬＡＮシステムの使用チャネルとの混線および干渉の発生可能性があるか否かを検出し、これによって、現在使用中のチャネルを適切に調節する必要がある。
【発明の開示】
【発明が解決しようとする課題】
【００１３】
本発明の目的は、現在使用中の無線ＬＡＮシステムで設定されたチャネルが、他の無線ＬＡＮシステムで使用中のチャネルとの間で電波干渉があるか否かを検出し、これによって、適切にチャネルを調整することができる、無線ＬＡＮシステムおよびその使用方法を提供することにある。
【課題を解決するための手段】
【００１４】
上記の目的を達成するために、本発明に係る無線ＬＡＮシステムは、周辺領域に位置する無線ネットワークで使用中のチャネルに関連したチャネル情報を収集して転送する少なくとも１つのＩＳＣＭ（Inter-Space Channel Monitors；チャネル監視）装置と、受信した前記チャネル情報と現在設定されている設定チャネルとの比較結果に基づいて、前記設定チャネルを他の周波数帯域のチャネルに調整するモジュールを有するＡＰとを備えることを特徴とする。
【００１５】
前記ＡＰは、前記無線ネットワークで使用中のチャネルと前記設定チャネルとが少なくとも４チャネル以上の間隔を有するように前記設定チャネルを調整することが好ましく、前記ＩＳＣＭ装置は、前記チャネル情報を検索して前記ＡＰに送信するモジュールをさらに備える無線ＬＡＮのステーションであることが好ましい。また、前記ＩＳＣＭ装置は、有線ネットワークを介して前記チャネル情報を前記ＡＰに転送できることが好ましい。
【００１６】
また、本発明に係る無線ＬＡＮシステムの使用方法は、周辺領域に位置する無線ネットワークで使用中のチャネルに関連したチャネル情報を収集して転送するステップと、受信した前記チャネル情報と現在ＡＰに設定されている設定チャネルとの比較結果に基づいて、前記設定チャネルを他の周波数帯域のチャネルに調整するステップとを含むことを特徴とする。
【００１７】
前記調整するステップは、前記無線ネットワークで使用中のチャネルと前記設定チャネルとが少なくとも４チャネル以上の間隔を有するように調整することが好ましく、前記転送するステップは、前記チャネル情報を検索して前記ＡＰに送信するモジュールをさらに備える無線ＬＡＮのステーションで行われることが好ましい。また、前記転送するステップにおいて、前記チャネル情報は、有線ネットワークを介して転送されることが好ましい。
【発明の効果】
【００１８】
本発明によれば、無線ＬＡＮシステムで現在使用中のチャネルと、隣接する領域に位置する他の無線ＬＡＮシステムで使用中のチャネルとの間で電波干渉がある場合、これを検出することができる。これによって、電波干渉のない適切なチャネルに調整することで混線および干渉を防止し、無線ＬＡＮシステムの効率を向上させることが可能となる。
【発明を実施するための最良の形態】
【００１９】
以下、図面を参照して本発明を実施するための最良の形態について詳述する。なお、参照する図面において、同一の要素には同一の番号を付し、重複する説明は省略する。
【００２０】
図１は、本発明に係る無線ＬＡＮシステムの構成を示す図である。
図１に示されたように、本無線ＬＡＮシステムは、ＩＳＣＣ−ＡＰ１（５１０）、ＩＳＣＭ装置１Ａ（５３０）、ＩＳＣＭ装置１Ｂ（５５０）およびＩＳＣＭ装置１Ｃ（５７０）で構成される。
【００２１】
ＩＳＣＣ−ＡＰ（５１０）は、基本的なＡＰ（Access Point）の機能の他に、ＩＳＣＣ（Inter-Space Channel Coordinator）の機能を有する。ここで、ＩＳＣＣ機能とは、隣接する他の無線ＬＡＮシステムとの間で電波干渉が発生する場合、これを検出することで現在設定されているチャネルを電波干渉のないチャネルに調整する機能をいう。
【００２２】
ＩＳＣＭ装置１Ａ（５３０）、ＩＳＣＭ装置１Ｂ（５５０）およびＩＳＣＭ装置１Ｃ（５７０）は、周辺領域に位置する無線ＬＡＮシステムで使用されているチャネル状態をスキャンし、これに関連したチャネル情報をＩＳＣＣ−ＡＰ１（５１０）に通報する。
【００２３】
図１において実線で表示された領域５００は、ＩＳＣＣ−ＡＰ１（５１０）を含むセル、即ち、無線ＬＡＮシステムのサービス空間を示し、点線で表示された領域５２０、５４０、５６０は、それぞれＩＳＣＭ装置１Ａ（５３０）、ＩＳＣＭ装置１Ｂ（５５０）、ＩＳＣＭ装置１Ｃ（５７０）がスキャニングするスキャン領域を示す。
【００２４】
図２は、図１のＩＳＣＣ−ＡＰ１（５１０）の構成を示す図である。
図２に示されたように、ＩＳＣＣ−ＡＰ１（５１０）は、ＩＳＣＣモジュール部５１１、ＯＳ部５１２、ブリッジ部５１３、ＷＬＡＮドライバ部５１４、ＡＰ Ｆ／Ｗを備えたＷＭＡＣコントローラ部５１５、ＷＬＡＮ ＲＡＤＩＯ部５１６、ネットワークドライバ部５１７およびＩＳＣＭのためのネットワークモジュール部５１８で構成される。
【００２５】
ＯＳ部５１２、ブリッジ部５１３、ＷＬＡＮドライバ部５１４、ＡＰ Ｆ／Ｗを備えたＷＭＡＣコントローラ部５１５、ＷＬＡＮ ＲＡＤＩＯ部５１６、ネットワークドライバ部５１７は、一般のＡＰに設けられているものであり、ＩＳＣＣモジュール部５１１およびＩＳＣＭのためのネットワークモジュール部５１８が新しく設けられたものである。
【００２６】
ＩＳＣＣモジュール部５１１は、ＩＳＣＭ装置から受信したスキャン情報に基づいて設定されたチャネルを調整するＩＳＣＣ機能を行う。ＩＳＣＭのためのネットワークモジュール部５１８は、ＩＳＣＭ装置との通信を行う。
【００２７】
図３は、図１のＩＳＣＭ装置１Ａ（５３０）の構成を示す図である。
同図に示されたように、ＩＳＣＭ装置１Ａ（５３０）は、ＩＳＣＭモジュール部５３１、ＯＳ部５３２、ＷＬＡＮドライバ部５３３、ステーションＦ／Ｗを備えたＷＭＡＣコントローラ部５３４、ＷＬＡＮ ＲＡＤＩＯ部５３５、ネットワークドライバ部５３６およびＩＳＣＣのためのネットワークモジュール部５３７で構成される。
【００２８】
ＩＳＣＭモジュール部５３１、ＯＳ部５３２、ＷＬＡＮドライバ部５３３、ステーションＦ／Ｗを備えたＷＭＡＣコントローラ部５３４、ＷＬＡＮ ＲＡＤＩＯ部５３５、ネットワークドライバ部５３６は、一般の無線ＬＡＮステーションに設けられたものであり、ＩＳＣＭモジュール部５３１およびＩＳＣＣのためのネットワークモジュール部５３７は、新しく設けられたものである。
【００２９】
ＩＳＣＭモジュール部５３１は、周辺領域に位置する無線ＬＡＮシステムのチャネルおよび周辺状態の情報を監視および報告する機能を行う。ＩＳＣＣのためのネットワークモジュール部５３７は、ＩＳＣＣ機能を有するＡＰとの通信を行う。
【００３０】
なお、ＩＳＣＭ装置１Ｂ（５５０）およびＩＳＣＭ装置１Ｃ（５７０）の構成および機能は、ＩＳＣＭ装置１Ａ（５３０）と同様である。
【００３１】
図４は、本発明に係る無線ＬＡＮシステムの動作方法を説明するための図である。図４に示されたように、ＩＳＣＣ機能を有するＩＳＣＣ−ＡＰ１（５１０）、ＩＳＣＭ装置１Ａ（５３０）、ＩＳＣＭ装置１Ｂ（５５０）、ＩＳＣＭ装置１Ｃ（５７０）で構成される１つの無線ＬＡＮシステムがあり、隣接する領域にＩＳＣＣ機能を有するＩＳＣＣ−ＡＰ２（６１０）およびＩＳＣＭ装置２Ａ（６３０）で構成される他の無線ＬＡＮシステムがあるとする。
【００３２】
図４から、ＩＳＣＣ−ＡＰ１（５１０）のサービス領域５００とＩＳＣＣ−ＡＰ２（６１０）のサービス領域６００とが一部重なり合っていることがわかる。このような状況で、ＩＳＣＭ装置１Ａ（５３０）、ＩＳＣＭ装置１Ｂ（５５０）およびＩＳＣＭ装置１Ｃ（５７０）は、点線で表示したそれぞれのスキャン領域で検索したスキャンデータをＩＳＣＣ−ＡＰ１（５１０）に通報する。また、ＩＳＣＭ装置２Ａ（６３０）は、ＩＳＣＣ−ＡＰ２（６１０）にスキャン情報を通報する。
【００３３】
このような状況で、本発明に係る無線ＬＡＮシステムの動作方法について、図５、図６および図７のフローチャートを参照して説明すると、以下のようである。
【００３４】
先ず、図５は、各ＩＳＣＭ装置の動作方法を説明するためのフローチャートである。図５に示されたように、電源が印加された後（Ｓ７００）、初期化の過程が行われる（Ｓ７０５）。初期化過程後、各ＩＳＣＭ装置は、周辺領域に対するスキャニングを行う（Ｓ７１０）。
【００３５】
即ち、ＩＳＣＭ装置１Ａ（５３０）は、当該スキャン領域５２０（図４参照）でスキャンを行う。この場合、ＩＳＣＭ装置１Ａ（５３０）のスキャン領域５２０からはＩＳＣＣ−ＡＰ１（５１０）のみが検索されるため、次のテーブルのようなスキャンデータが収集される。
【００３６】
【表２】
2004274765.tif 000004
【００３７】
このようなスキャンデータは、一般の無線ＬＡＮシステムで使用するスキャンデータにＩＳＣＭ装置番号（ISCM number）などが追加された形態である。
【００３８】
ＩＳＣＭ装置１Ｂ（５５０）の場合、当該スキャン領域５４０内にＩＳＣＣ−ＡＰ１（５１０）およびＩＳＣＣ−ＡＰ２（６１０）が存在するため、スキャニングの結果、次のようなスキャンデータが収集される。
【００３９】
【表３】
2004274765.tif 000005
【００４０】
ＩＳＣＭ装置１Ｃ（５７０）の場合は、当該スキャン領域５６０内に何等ＡＰが存在しないため、次のようなスキャンデータが収集される。
【００４１】
【表４】
2004274765.tif 000006
各ＩＳＣＭ装置のスキャニング結果であるスキャンデータは、ＩＳＣＣ−ＡＰ１（５１０）に伝達される（Ｓ７１５）。スキャニング結果の転送後は、規定時間の間、待機し、規定時間が経過すると、再び前述のスキャニング作業を繰り返して行う（Ｓ７２０、Ｓ７３０）。
【００４２】
図６および図７は、ＩＳＣＣ−ＡＰ１（５１０）の動作方法を説明するためのフローチャートである。
ＩＳＣＣ機能を有するＩＳＣＣ−ＡＰ１（５１０）の動作は、一般のＡＰと同様に、先ず、電源を印加し、ユーザが希望する構成要素にてセットした後、動作させる。
【００４３】
図６において、先ず、ＩＳＣＣ−ＡＰ１（５１０）は、各ＩＳＣＭ装置からスキャンデータが到着するまで、待機状態（Stand-by）を維持し（Ｓ８００、Ｓ８０５）、ＩＳＣＭ装置からスキャンデータが受信されると、受信したスキャンデータを整理する（Ｓ８１０）。ＩＳＣＭ装置１Ａ（５３０）、ＩＳＣＭ装置１Ｂ（５５０）およびＩＳＣＭ装置１Ｃ（５７０）から受信したスキャンデータの整理結果は、次の表５の通りである。
【００４４】
【表５】
2004274765.tif 000007
【００４５】
スキャンデータの整理が終わると、ＥＳＳＩＤ（Extended Service Set Identifier；拡張サービスセットＩＤ）の個数、即ち、ｉの個数による手続きを行う（Ｓ８１５）。
【００４６】
先ず、検索されたチャネルが存在しない場合（ｉ＜１（Ｓ８２０，Ｙｅｓ））は、当該ＩＳＣＭ装置のスキャン領域内にＡＰが存在しないことを意味するため、ＩＳＣＣ−ＡＰ１（５１０）は、当該ＩＳＣＭ装置がスキャンした領域は現在のサービス領域でない旨を通報する（Ｓ８３０）。この場合、干渉するチャネルが存在しないため、チャネル調整は、不要である。
【００４７】
受信されたスキャンデータを整理した結果、検索されたチャネルが１つ以上ある場合（ｉ≧１（Ｓ８２５，Ｙｅｓ））、ＩＳＣＣ−ＡＰ１（５１０）は、現在設定されているチャネルと検索されたチャネルとを順次比較する（Ｓ８３５）。比較の結果、検索されたすべてのチャネルと現在設定されているチャネルとが一致しない場合（１つも一致しない場合）、ＩＳＣＣ−ＡＰ１（５１０）は、検索されたチャネルが存在しない場合と同様に、現在のサービス領域５００と重なり合う領域でない旨の結果を報告する（Ｓ８４０、Ｓ８３０）。この場合も、重なり合う領域が存在しないため、チャネル調整は、不要である。
【００４８】
これとは異なり、表５のように、現在設定されているチャネルとスキャンデータのチャネルに一致するチャネルが存在する場合は、現在サービス領域内に電波干渉が存在していることを意味するため、チャネル調整を検討する必要がある（Ｓ８５０）。しかし、検索されたチャネルが１つ（即ち、ｉ＝１）で、スキャンデータのチャネルと現在設定されているチャネルとが一致する場合は、現在サービス領域内には、自分のＡＰのみが存在するため、チャネル調整が不要となる。
【００４９】
Ｓ８５０のチャネル調整の検討過程は、次の通りである。先ず、現在設定されているチャネルとスキャンデータのチャネルとが５チャネル以上の間隔である場合は、現在のサービス領域に電波干渉しないため、このような状態をシステムマネージャに通報すれば良い。仮に現在設定されているチャネルとスキャンデータのチャネルとの間隔が５チャネル以上でないとすれば、スキャンデータの全チャネルと５チャネル以上の間隔である任意のチャネルをシステムマネージャに通報し（Ｓ８５５）、チャネルの調整を行うようにする。
【００５０】
現在設定されているチャネルとスキャンデータのチャネルとの間隔が４チャネル以上である場合は、現在のチャネルを使用し続けても電波干渉が殆ど発生しない。しかし、このような場合でも、スキャンデータの全チャネルから４チャネルの間隔を有する任意のチャネルがあれば、その旨をシステムマネージャに通報し、より適切なチャネルへの調整を行うようにする。
【００５１】
また、スキャンデータの全チャネルから４チャネル以上の間隔を有するチャネルが存在しない場合は、やはりその旨をシステムマネージャに通報することで、ユーザが、現在使用中のチャネルに対する調整の必要性を認知するようにする。
【００５２】
前述のような過程によって、現在サービス領域と隣接する領域に他の無線ネットワークが存在し、干渉現象が発生する場合、これを検出して適切に調整することが可能となる。
【００５３】
以上、図面を参照して本発明の実施例を説明してきたが、本発明の保護範囲は、前述の実施例に限定されるものではなく、特許請求の範囲に記載された発明とその均等物にまで及ぶものである。
【産業上の利用可能性】
【００５４】
本発明は、隣接する領域に位置する他の無線ＬＡＮシステムとの電波干渉および混線を防止することができる、無線ＬＡＮシステムおよびその使用方法を提供する。
【図面の簡単な説明】
【００５５】
【図１】本発明に係る無線ＬＡＮシステムの構成を示す図である。
【図２】図３のＩＳＣＣ−ＡＰ１の構成を示す図である。
【図３】図３のＩＳＣＭ装置１Ａの構成を示す図である。
【図４】本発明に係る無線ＬＡＮシステムの動作方法を説明するための図である。
【図５】本発明に係る無線ＬＡＮシステムの動作方法を説明するためのフローチャートである。
【図６】本発明に係る無線ＬＡＮシステムの動作方法を説明するためのフローチャートである。
【図７】本発明に係る無線ＬＡＮシステムの動作方法を説明するためのフローチャートである。
【図８】一般の無線ＬＡＮシステムの構成を示す図である。
【図９】無線ＬＡＮシステム間の電波干渉を説明するための図である。
【符号の説明】
【００５６】
５１０    ＩＳＣＣ−ＡＰ１
５３０    ＩＳＣＭ装置１Ａ
５５０    ＩＳＣＭ装置１Ｂ
５７０    ＩＳＣＭ装置１Ｃ
【図１】
2004274765.tif 000008
【図２】
2004274765.tif 000009
【図３】
2004274765.tif 000010
【図４】
2004274765.tif 000011
【図５】
2004274765.tif 000012
【図６】
2004274765.tif 000013
【図７】
2004274765.tif 000014
【図８】
2004274765.tif 000015
【図９】
2004274765.tif 000016